(57)【特許請求の範囲】
【請求項１】
銃身内に軸線方向の流路を開設して、該流路の先端にノズルを設け、該流路に固定弁座を配設すると共に、引金の操作により流路の先端方向に移動して該固定弁座を開放する可動弁体を摺動自在に嵌挿し、
上記可動弁体は、環状の上記固定弁座に嵌合して該固定弁座にノズル側から接離する弁部材と、上記固定弁座より流路の上流側に位置して内部に該流路に通じる中空部を有する筒状部と、上記弁部材と該筒状部とを連結する連結部と、上記中空部を該連結部の外周の流路に連通させる流出路と、上記弁部材が上記固定弁座に当接している状態で上記流路内の流体圧力が開弁方向に作用する圧力作用面及び上記流体圧力が開弁方向と逆方向に作用するバランス用流体圧作用面とを有し、該バランス用流体圧作用面は、上記筒状部の上記ノズル側を向く端面により上記圧力作用面と同面積に形成され、
上記可動弁体は、スプリングで上記弁部材が固定弁座に当接する方向に付勢され、
上記可動弁体の筒状部の上記ノズル側を向く端面と反対側の端面には、外部に開放する操作室内において上記引金が当接している、
ことを特徴とする流体噴射用ガン。
【請求項２】
銃身内に軸線方向の流路を開設し、該流路の先端にノズルを設け、該流路に固定弁座を配設すると共に、引金の操作により流路の先端方向に移動して該固定弁座を開放する可動弁体を摺動自在に嵌挿し、
上記可動弁体は、中空筒状をしていて内部に上記流路を有し、該可動弁体の内部に上記固定弁座が配設され、該可動弁体の内周面には、上記固定弁座に接離する環状の弁部が形成されると共に、該弁部が上記固定弁座に当接している状態で上記流路内の流体圧力が開弁方向に作用する圧力作用面と、該圧力作用面と同面積で上記流体圧力が開弁方向と逆方向に作用するバランス用流体圧作用面とが形成され、
上記可動弁体は、スプリングで上記弁部が固定弁座に当接する方向に付勢されている、
ことを特徴とする流体噴射用ガン。
【発明の詳細な説明】
【０００１】
【発明の属する技術分野】
本発明は、ワーク表面に付着する異物の排除等のためにノズルから流体を噴出させる流体噴射用ガンに関するものである。
【０００２】
【従来の技術】
従来から、流体噴射用ガンとしては各種構造のものが知られているが、流体の流路において弁体に作用する流体圧が該弁体を閉鎖する方向に作用するのが通例であり、そのため、弁体を閉鎖するためのスプリングを設ける必要がない点では有利であるが、流体の圧力が大きくなると弁座に対する弁体のシート力が大きくなり、また流体圧の変動によって弁体のシート力が変動し、流体圧に変動があると弁体が過度に弁座に押し付けられたりして、弁座の耐久性を損なう可能性があった。
また、弁体によって開閉されるガン内の流体の流路が直線的でないことから、圧力損失が大きいことが多いばかりでなく、流路の屈曲により該流路の有効断面積が小さくなり、この点でも圧力損失を増大させている。
【０００３】
【発明が解決しようとする課題】
本発明が解決しようとする課題は、流体噴射用ガンの弁体を弁座に圧接するシート力を、流体の圧力とは無関係に常にスプリングの付勢力によって付与されるものとし、流体圧の変動によって弁体のシート力が変動したりすることなく、それによって弁体の耐久性を向上させた流体噴射用ガンを提供することにある。
本発明の他の課題は、引金の操作によって開閉される弁体を備えた銃身内の流体の流路を可及的に直線状とし、弁体の開閉部分においても流路の屈曲や有効断面積の縮小がなく、それによって圧力損失を可及的に小さくできるようにした流体噴射用ガンを提供することにある。
【０００４】
【課題を解決するための手段】
上記課題を解決するための本発明の流体噴射用ガンは、銃身内に軸線方向の流路を開設して、該流路の先端にノズルを設け、該流路に固定弁座を配設すると共に、引金の操作により流路の先端方向に移動して該固定弁座を開放する可動弁体を摺動自在に嵌挿し、上記可動弁体は、環状の上記固定弁座に嵌合して該固定弁座にノズル側から接離する弁部材と、上記固定弁座より流路の上流側に位置して内部に該流路に通じる中空部を有する筒状部と、上記弁部材と該筒状部とを連結する連結部と、上記中空部を該連結部の外周の流路に連通させる流出路と、上記弁部材が上記固定弁座に当接している状態で上記流路内の流体圧力が開弁方向に作用する圧力作用面及び上記流体圧力が開弁方向と逆方向に作用するバランス用流体圧作用面とを有し、該バランス用流体圧作用面は、上記筒状部の上記ノズル側を向く端面により上記圧力作用面と同面積に形成され、
上記可動弁体は、スプリングで上記弁部材が固定弁座に当接する方向に付勢され、
上記可動弁体の筒状部の上記ノズル側を向く端面と反対側の端面には、外部に開放する操作室内において上記引金が当接していることを特徴とするものである。
【０００５】
上記構成を有する流体噴射用ガンは、銃身内に、その軸線方向に流路を開設して、該流路内に配設する可動弁体に、開弁方向に作用する供給流体の圧力作用面と同面積のバランス用流体圧作用面を設け、それにより流路において可動弁体に作用する流体圧の力をバランスさせたうえで、上記可動弁体を閉弁方向に付勢するスプリングを設けているので、可動弁体を固定弁座に圧接するシート力は、流体の圧力とは無関係に、常に上記付勢力によって付与され、それにより、流体圧の変動によって可動弁体のシート力が変動したりすることがないため、可動弁体が固定弁座に過度に押し付けらることによって生じる耐久性の降下を防ぐことができ、開弁のための操作力も比較的安定化する。
【０００６】
また、本発明の流体噴射用ガンは、銃身内に軸線方向の流路を開設し、該流路の先端にノズルを設け、該流路に固定弁座を配設すると共に、引金の操作により流路の先端方向に移動して該固定弁座を開放する可動弁体を摺動自在に嵌挿し、上記可動弁体は、中空筒状をしていて内部に上記流路を有し、該可動弁体の内部に上記固定弁座が配設され、該可動弁体の内周面には、上記固定弁座に接離する環状の弁部が形成されると共に、該弁部が上記固定弁座に当接している状態で上記流路内の流体圧力が開弁方向に作用する圧力作用面と、該圧力作用面と同面積で上記流体圧力が開弁方向と逆方向に作用するバランス用流体圧作用面とが形成され、上記可動弁体は、スプリングで上記弁部が固定弁座に当接する方向に付勢されていることを特徴としている。
特に、この実施形態においては、開弁状態にある可動弁体に対してノズル背圧が作用せず、そのための開弁のための操作力が常に一定に保たれる。
【０００７】
【発明の実施の形態】
図１乃至図４は、本発明の流体噴射用ガンの第１実施例の構成を示すもので、この流体噴射用ガンは、内部における軸線方向に流路２が設けられた銃身１と、該銃身１の基端側に取付けられ、内部に上記流路２に連通する流体供給用の供給路３ａを備えたハンドル部３と、上記銃身１の流路２の中央において、その軸線方向に摺動自在に設けられた可動弁体４と、流路２に配設された、該可動弁体４の外周と接離する固定弁座７（図４）を備えた環状の弁座体６と、上記銃身１に取付けられた、該可動弁体４を駆動させるための引金５とを備えている。
【０００８】
上記銃身１は、上記ハンドル部３が連結される銃身基端部１０と、上記可動弁体４が収容される銃身先端部１１と、該銃身先端部１１の先端に着脱自在に取付けられる、圧縮空気または各種液体等の流体を噴出させる噴出口１２ａを備えたノズル１２とで構成されている。
上記銃身基端部１０は、その内部に、上記流路２の一部を構成する基端側流路１０ａが形成されていて、上記ハンドル３内の供給路３ａと連通している。なお、この銃身基端部１０には、ハンドル部３の供給路３ａを使用しないで流体を供給する場合に使用する流体供給口１０ｂが設けられている。
また、上記銃身先端部１１は、その内部に上記流路２の一部を構成する先端側流路１１ａが形成されていて、該先端側流路１１ａ内に、上記可動弁体４と弁座体６とを備えると共に、先端側流路１１ａ内における該弁座体６よりも上流側には、先端側流路１１ａ内において最も大径の拡径凹部１３が設けられている。
【０００９】
上記可動弁体４は、上記弁座体６の固定弁座７に上記ノズル１２側から接離する環状のシール部材１４ａを備えた弁部材１４と、上記弁座体６の上流側に位置するように設けられた中空部１５ａを有する筒状部１５と、これら弁部材１４と筒状部１５とを連結する、筒状部１５の外径より小径の連結部１６とを備えていて、シール部材１４ａがその周囲の固定弁座７と気密に当接する部分が該固定弁座７のシート部を形成している。
【００１０】
上記筒状部１５は、その外周が上記銃身先端部１１の先端側流路１１ａ内の拡径凹部１３の内壁と気密に当接していて、該拡径凹部１３の内壁によって形成されるガイド部にガイドされながら流路２の軸線方向に気密に摺動可能な構成となっている。また、中空部１５ａの内壁は、上記銃身基端部１０に固定的に取付けられた連結部材８の外周と気密に且つ摺動可能に当接している。
したがって、この筒状部１５は、拡径凹部１３と連結部材８との間を摺動可能な状態で相互に気密に嵌合している。
この筒状部１５の中空部１５ａは、上記連結部材８の中空部８ａ内を通して、基端側流路１０ａと気密に連通されている。
なお、図中において、１７は筒状部１５の外周と拡径凹部１３のガイド部との間を気密にシールするシール部材、８ｂは連結部材８の外周と筒状部１５の中空部１５ａの内壁との間を気密にシールするシール部材である。
【００１１】
一方、上記連結部１６は、上記筒状部１５の中空部１５ａと連通して、流体圧を該中空部１５ａから拡径凹部１３内に流出させ、上記シート部周囲に至らしめる流出路１６ａを備えている。したがって、基端部流通路１０ａと拡径凹部１３内及び先端部流通路１１ａは、連結部材８の中空部８ａ内、可動弁体４における筒状部１５の中空部１５ａ及び連結部１６の流出路１６ａを通して連通したものとなっている。
【００１２】
上記可動弁体４は、連結部材８の外周と拡径凹部１３の内周との間に、上記弁部材１４における上記弁座体６の固定弁座７のシート部より内側で可動弁体４に対して開弁方向に供給流体圧が作用する圧力作用面の面積と略同面積で、上記流路２内の流体が該圧力作用面に作用する方向とは反対の方向に作用するバランス用流体圧作用面を備えていて、弁部材１４に対して流路２側から作用する流体圧の力に、相反する方向に且つ同等の力が作用するように、可動弁体４全体の形態によりバランスを取っている。
【００１３】
即ち、通常、弁部材１４には流路２からの流体圧が作用し、弁部材１４の受圧面積との関係により、弁部材１４は開弁方向に動こうとするが、その圧力作用面と略同面積で、それに作用する方向とは反対の方向に作用する上記バランス用流体圧作用面を設けたことにより、可動弁体４全体に、上述の開弁方向の力と同等の大きさの閉弁方向の流体圧の力が作用して、相互に相殺される。
したがって、弁部材１４は、流路２からの流体圧のみによって開弁方向に駆動することはなく、また、流体圧の大きさには影響されないため、たとえ流路２からの流体圧に変化があったとしても常に開弁方向と閉弁方向との力のバランスは保たれることとなる。
【００１４】
この実施例では、上記バランス用流体圧作用面を確保するため、図２に示すように、先端側流路１１ａ内に設けた拡径凹部１３を、流路２を構成する部分全体を通じて最も大径とすると共に、上記拡径凹部１３内において可動弁体４にノズル１２側から流体圧が作用する面、即ち上記圧力作用面と対向する面が形成される構成とし、圧力作用面と力のバランスが取れるようにしている。
なお、バランス用流体圧作用面は、筒状部１５の外径と連結部材８の外径とのの間の面積を有し、筒状部１５の先端側のフランジ面１５ｂがその一部を構成している。
【００１５】
上記弁座体６と筒状部１５のフランジ面１５ｂとの間には、固定弁座７から離れた弁部材１４に復帰動作をさせる、復帰動作用のスプリング９が設けられていて、弁部材１４は固定弁座７と圧接する方向に常に弾性的に付勢されている。
【００１６】
上記銃身基端部１０の先端側における連結部材８の外側には、操作室１０ｃが設けられていて、この操作室１０ｃに引金５の一端が挿入され、該引金５が、軸部材５ａにより回転可能に軸支されている。
この引金５は、図３に示すように、その一端側が略Ｙ字状に形成され、それが上記連結部材８の外周を跨ぐように配設され、上記筒状部１５の上記ノズル１２と反対側の端面、即ち上流側の端面と当接している。
この引金５の他端側をハンドル３の方向に押して移動させることにより、図４に示すように、梃子の原理で上記スプリング９に抗する方向に可動弁体４を直接押して弁部材１４を固定弁座７から離し、弁を開放することができるようになっている。逆に、引金５を押す力を開放すると上記スプリング９の付勢力により、可動弁体４は弁を閉じる方向に復帰する。
なお、この実施例における上記操作室１０ｃは、特に密封されることなく、外部に開放され、大気圧下におかれている。
【００１７】
上記構成を有する流体噴射用ガンは、銃身１内にその軸線方向に沿う流路２を開設し、該流路２内に配設する可動弁体４に、弁座体６における固定弁座７のシート部より内側の圧力作用面の面積と略同面積で、該圧力作用面に作用する方向とは反対の方向に圧力圧が作用するバランス用流体圧作用面を設け、それにより流路２から可動弁体４全体に作用する流体圧の力を相殺してバランスさせたうえで、上記可動弁体に対してそれを閉弁方向に付勢するスプリング９を設けているので、可動弁体４を固定弁座７のシート部に圧接するシート力は、流体の圧力とは無関係に、上記付勢力によって付与され、そのため、流体圧の変動によって可動弁体４のシート力が変動したりすることなく、この結果、可動弁体４と固定弁座７との間に過度の力が作用することがないため、可動弁体４の耐久性の降下防止を図ることができる。
【００１８】
また、銃身１内の流体の流路２を直線状とすることを前提として流路を開閉する弁を設けているので、圧力損失を可及的に小さくすることができる。
【００１９】
図５乃至図７は、本発明の第２実施例を示すもので、この実施例の流体噴射用ガンは、上記第１実施例とは可動弁体の構成が若干異なっている。
【００２０】
具体的には、可動弁体２０を、第１実施例の可動弁体４と連結部材８とを一体化したような、流路２の上流方向に長い筒状部２２を備えた構成とし、該筒状部２２を銃身１における銃身基端部１０の基端側流路１０ａ内に気密に摺動可能に内挿した態様とし、上記筒状部２２内を通して可動弁体２０のみで基端側流路１０ａと銃身先端部１１の拡径凹部１９とを連通している。
【００２１】
また、上記可動弁体２０の弁部材２１は、弁座体６の固定弁座７と接触する部分に環状のシール部材２１ａを備え、該弁部材２１からその上流方向に延びる軸部２１ｂが、上記筒状部２２の先端側に組付けられた中空の連結部２３に、流路の軸線方向と平行な薄板状のブリッジ２１ｃにより複数方向から支持固定されている。
【００２２】
この実施例におけるバランス用流体圧作用面は、筒状部２２における銃身基端部１０への嵌入部分の外径と銃身先端部１１に嵌入する部分の連結部２３の外径との間の面積に相当し、連結部２３に形成されているフランジ面２３ｂがその一部を構成し、可動弁体２０の圧力作用面に生じる流体圧の力を相殺している。
【００２３】
なお、引金２４は、図７に示すように、一端側が、可動弁体２０の筒状部２２の外周に沿うような形状の略Ｙ字状となっている。
【００２４】
上記構成を有する流体噴射用ガンは、第１実施例における可動弁体４と連結部材８とを一体化した態様の筒状部２２を備えた可動弁体２０を用いているため、銃身１内の流路２を段差の少ない直線状とすることができ、また、弁部材２１の軸部２１ｂを薄板状のブリッジ２１ｃにより連結部２３に支持させたことにより、可動弁体２０の開閉部分においても流路２の屈曲を少なくし有効断面積の縮小を小さくしているので、圧力損失を可及的に小さくすることができる。
【００２５】
なお、上記可動弁体２０及び引金２４以外の構成及び作用は、上記第１実施例と実質的に同じであるから主たる対応部分には同一の符号を付してそれらの説明は省略する。
【００２６】
図８及び図９は、本発明の第３実施例を示すもので、この実施例の流体噴射用ガンは、上記第１及び第２実施例のものが固定弁座に可動弁体の外周が接する構成であったのに対して、流路の軸線方向に摺動する可動弁体を、中央の固定弁座の外側に位置する中空筒状に形成し、該可動弁体内に固定弁座を配設して、該可動弁体の内周面に設けた弁部と固定弁座の外周が接する構成とした点で、第１及び第２実施例と大きく異なっている。
【００２７】
具体的に、第３実施例の流体噴射用ガンは、供給路３３ａを備えたハンドル３３を基端側に備えた銃身３１と、該銃身３１に収容され、銃身３１の軸線方向に沿って駆動可能に設けられた中空筒状の可動弁体３４と、該可動弁体３４内に配設された固定弁座３７を有する弁座体３６と、可動弁体３４を駆動させるための引金３５と、銃身３１の先端に取付けられた環状の連結部材３８と、該連結部材３８と上記可動弁体３４との間に設けられた、可動弁体３４に復帰動作をさせる復帰動作用のスプリング３９と、上記連結部材３８に取付けられたノズル４０とを備えている。なお、銃身３１の基端側において上方向きに開く開口４４は、上記供給路３３ａを使用しないで流体の供給を行う場合に用いる流体供給口である。
【００２８】
上記弁座体３６は、銃身３１の基端側に配設された上記供給路３３ａや流体供給口４４と連通する流路管４１と相互に気密に接続される第１連結管４５と、上記連結部材３８と相互に気密に接続される、該第１連結管４５と外径が同径の第２連結管４６と、これら第１及び第２連結管４５，４６によって、これらの連結管４５，４６の間に支持された上記固定弁座３７とで構成されている。
上記固定弁座３７は、上記第１及び第２連結管４５，４６のそれぞれに設けられた薄板状のブリッジ４５ａ，４６ａと、これらブリッジ４５ａ，４６ａと固定弁座３７とを相互に連結する軸部４５ｂ，４６ｂとにより、第１及び第２連結管４５，４６の軸線上におけるこれら連結管４５，４６間の中間に位置するよう位置不動に支持されている。なお、上記固定弁座３７の外周には、接した状態の可動弁体３４との間を気密にシールするシール部材３７ａが取付けられている。
【００２９】
上記可動弁体３４は、その中空の内周面に環状に設けられた、上記固定弁座３７の外周と接離する弁部３４ａと、該弁部３４ａより銃身３１の基端側に位置する、上記固定弁座３７及び弁部３４ａよりも大径の拡径部３４ｂと、これら弁部３４ａ及び拡径部３４ｂを挟むように設けられた第１及び第２摺動部３４ｃ，３４ｄと、該第２摺動部３４ｄの外周面に設けられた、上記引金３５の一端側と接して該引金３５からの力を可動弁体３４に作用させるための突出部３４ｅとを備えている。
なお、これら上記弁部３４ａ、拡径部３４ｂ、第１及び第２摺動部３４ｃ，３４ｄ、突出部３４ｅは全体として一体に設けられている。
【００３０】
上記第１及び第２摺動部３４ｃ，３４ｄは、少なくとも内径が相互に同径のもので、上記弁座体３６の第１及び第２連結管４５，４６のそれぞれの外周に気密に、且つ連結管４５，４６に沿って摺動可能に取付けられ、これにより、供給路３３ａまたは流体供給口４４から、流路管４１、弁座体３６の第１連結管４５、可動弁体３４、弁座体３６の第２連結管４６、連結部材３８を通してノズル４０に連通する流路３２が形成されることとなる。
【００３１】
上記弁部３４ａは、図９から分かるように、実質的に、第２摺動部３４ｄの基端側の内周と拡径部３４ｂとの連結部分のエッジ部分によって形成されるもので、固定弁座３７のシール部材３７ａがこの弁部３４ａと気密に当接する部分がシート部を形成している。
【００３２】
上記拡径部３４ｂは、弁部３４ａと固定弁座３７とが離れたとき、即ち弁の開放状態のときに流体の流路となる部分であり、図９から明らかなように、弁部３４ａ側と、第１摺動部３４ｃ側とに、それぞれ傾斜角度が異なる傾斜面を備えている。
これらの傾斜面にはそれぞれ供給流体の流体圧が作用しており、第２摺動部３４ｄ側の傾斜面には主にノズル４０方向、即ち可動弁体３７に対して開弁方向に、一方、第１摺動部３４ｃ側の傾斜面には、主に流路３２の上流方向、即ち可動弁体３７に対して閉弁方向にそれぞれ流体圧による力が作用し、可動弁体３４を各々の方向に移動させようとする力が働く。しかしながら、拡径部３４ｂと第２摺動部３４ｄの径の差と、拡径部３４ｂと第１摺動部３４ｃの径の差とは同じであるため、各傾斜面の流路３２の軸線方向と直交する向きの圧力作用面は実質的に略同面積になり、各傾斜面に作用する流体圧の力のうち流路３２の軸線方向の分力の大きさは同じになり、しかも、相互に反対方向となる。
したがって、第１摺動部３４ｃ側の傾斜面が、実質的に弁部３４ａ側の傾斜面の圧力作用面に対するバランス用作用面として機能することとなり、可動弁体３４には相反する方向に且つ同等の力が作用してバランスすることとなる。
【００３３】
上記銃身３１内における可動弁体３４の外部には、操作室３１ａが設けられていて、上述の第１及び第２実施例と同様に、この操作室３１ａに上記引金３５の一端が挿入され、銃身３１の軸方向に回転可能に設けられている。
なお、上記操作室３１ａ内は、特に密封されることなく、外部に開放され、大気圧におかれている点も第１及び第２実施例と同様である。
【００３４】
前記第１実施例及び第２実施例の流体噴射ガンにおいては、開弁操作時に流体圧が引金の操作力に影響を与えず、スプリングの付勢力に抗して開弁することになるが、連続的に流体を噴射する場合に、ノズルの背圧が可動弁体に作用することになるので、間欠的な開弁やその背圧が小さい場合に好適に利用することができるのに対し、上記構成を有する第３実施例の流体噴射用ガンは、流体噴射によってノズル４０内に背圧が生じても、可動弁体３４における流路の軸線方向にはその背圧の力は全く作用しないため、その影響を全く受けることがなく、連続的な流体噴射にも適用することができるという利点がある。
【００３５】
【発明の効果】
以上に詳述した本発明の流体噴射用ガンによれば、銃身内の流路内に配設する可動弁体に、固定弁座のシート部より内側の圧力作用面の面積と略同面積で、該圧力作用面に作用する方向とは反対の方向に流体圧が作用するバランス用流体圧作用面を設け、それにより流路において可動弁体に作用する流体圧の力をバランスさせたうえで、上記可動弁体に対してそれを閉弁方向に付勢するスプリングを設けているので、可動弁体を固定弁座に圧接するシート力は、流体の圧力とは無関係に、常に上記付勢力によって付与され、そのため、流体圧の変動によって可動弁体のシート力が変動したりすることなく、可動弁体の耐久性を向上させることができる。
【図面の簡単な説明】
【図１】  本発明の第１実施例の断面図である。
【図２】  同要部拡大断面図である。
【図３】  引金部分の横断面図である。
【図４】  弁が開いた状態の要部縦断面図である。
【図５】  本発明の第２実施例の断面図である。
【図６】  同平断面図である
【図７】  引金部分の横断面図である。
【図８】  本発明の第３実施例の断面図である。ただし、銃身部分の上半は閉弁状態、下半は開弁状態を示している。
【図９】  同要部断面図である。ただし、銃身部分の上半は閉弁状態、下半は開弁状態を示している。
【符号の説明】
１，３１  銃身
２，３２  流路
４，２０，３４  可動弁体
５，２４，３５  引金
６，３６  弁座体
７，３７  固定弁座
９，３９  スプリング
１０ｃ，３１ａ操作室
１３  拡径凹部
１５  筒状部
【図１】
0004910159.tif 000002
【図２】
0004910159.tif 000003
【図３】
0004910159.tif 000004
【図４】
0004910159.tif 000005
【図５】
0004910159.tif 000006
【図６】
0004910159.tif 000007
【図７】
0004910159.tif 000008
【図８】
0004910159.tif 000009
【図９】
0004910159.tif 000010